(57)【要約】      （修正有）【課題】用途に応じて多様な態様で使用できる写真立てを提供する。【解決手段】写真立て１は、第１主板２と、第２主板３と、第１主板２及び第２主板３に連結される第１中間部材４１、第２中間部材４２及び第３中間部材４３を備える。第１主板２は、第１内側表面部２１と第１外側表面部２２と第１側面部２３と第２側面部２４とを備える。第２主板３は、第２内側表面部３１と第２外側表面部３２と第１側面部３３と第２側面部３４とを備える。第１側面部２３，３３が延出する方向に延びる軸を第１の軸とし、第２側面部２４，３４が延出する方向に延びる軸を第２の軸として、第１中間部材４１及び第３中間部材４３は、第１内側表面部２１と第２内側表面部３１との間に介在し、第２主板３の第２外側表面部３２と第１主板２の第１外側表面部２２とに連結され、第２中間部材４２は第１主板２の第１外側表面部２２と第２主板３の第２外側表面部３２とに連結される。【選択図】図３
0003181240.tif 000002
【実用新案登録請求の範囲】
【請求項１】
所定の厚さを有する第１主板と、
所定の厚さを有し、前記第１主板に対して相対的に回動可能な第２主板と、
前記第１主板及び前記第２主板に連結される中間部材とを備える写真立てであって、
前記第１主板は、第１内側表面部と、前記厚さ方向において前記第１内側表面部とは反対側に設けられた第１外側表面部と、前記厚さ方向と直交する方向に延出して前記第１内側表面部及び前記第１外側表面部と直交する第１側面部と、前記厚さ方向及び前記第１側面部の延出方向と直交する方向に延出して前記第１内側表面部及び前記第１外側表面部と直交しかつ前記第１側面部と直交する第２側面部とを備え、
前記第２主板は、第２内側表面部と、前記厚さ方向において前記第２内側表面部とは反対側に設けられた第２外側表面部と、前記厚さ方向と直交する方向に延出して前記第２内側表面部及び前記第２外側表面部と直交し、前記第１主板の第１側面部に対向可能な第１側面部と、前記厚さ方向及び前記第１主板の第１側面部に対向可能な第１側面部の延出方向と直交する方向に延出して前記第２内側表面部及び前記第２外側表面部と直交しかつ前記第１主板の第１側面部に対向可能な第１側面部と直交するとともに、前記第１主板の第２側面部に対向可能な第２側面部とを備え、
前記第１主板又は前記第２主板の第１側面部が延出する方向に延びる軸を第１の軸とし、前記第１主板又は前記第２主板の第２側面部が延出する方向に延びる軸を第２の軸として、
前記中間部材は、前記第１内側表面部と前記第２内側表面部との間に介在し、前記第１の軸が延びる方向に沿って設けられた前記第１主板及び前記第２主板の一方の主板の端面部と、前記第２の軸が延びる方向に沿って設けられた前記第１主板及び前記第２主板の他方の主板の端面部とに連結されることを特徴とする写真立て。
【請求項２】
請求項１に記載の写真立てにおいて、
前記中間部材は、前記第１内側表面部又は前記第２内側表面部と重なる主面部と、
前記主面部から延設されて、前記内側表面部と前記第１側面部とが交わる第１の内側辺に沿って設けられる第１延設部と、
前記主面部から延設されて、前記内側表面部と前記第２側面部とが交わる第２の内側辺に沿って設けられる第２延設部とを備え、
前記第１延設部は前記一方の主板の外側表面部に連結され、第２延設部は前記他方の主板の外側表面部に連結されることを特徴とする写真立て。
【請求項３】
請求項２に記載の写真立てにおいて、
前記第１延設部は、前記第１側面部と対向可能な第１対向部と、前記第１対向部と連設された第１連結部とを備え、
前記第２延設部は、前記第２側面部と対向可能な第２対向部と、前記第２対向部と連設された第２連結部とを備え、
前記第１連結部が前記一方の主板の外側表面部に連結され、第２連結部が前記他方の主板の外側表面部に連結されることを特徴とする写真立て。
【請求項４】
請求項２又は請求項３に記載の写真立てにおいて、
前記中間部材は、複数設けられ、少なくとも第１中間部材と第２中間部材とを備え、
前記第１中間部材の第１延設部が前記第２主板の外側表面部に連結され、前記第１中間部材の第２延設部が前記第１主板の外側表面部に連結され、
前記第２中間部材の第１延設部が前記第１主板の外側表面部に連結され、前記第２中間部材の第２延設部が前記第２主板の外側表面部に連結されることを特徴とする写真立て。
【請求項５】
請求項１ないし請求項４のいずれかに記載の写真立てにおいて、
前記第１外側表面部及び前記第２外側表面部のうち少なくとも一方の外側表面部には、飾り物が差し込まれる差込部が形成され、
前記外側表面部上であって前記差込部から所定距離離れた位置には、飾り物を位置決め支持する位置決め支持部材が設けられていることを特徴とする写真立て。
【請求項６】
請求項１ないし請求項５のいずれかに記載の写真立てにおいて、
前記中間部材は和紙で形成されていることを特徴とする写真立て。
【考案の詳細な説明】
【技術分野】
【０００１】
本考案は、写真立てに関する。
【背景技術】
【０００２】
従来、所定の厚さを有して写真収納部が設けられた第１主板及び第２主板を備えた写真立てが知られている（例えば、特許文献１）。
このような写真立てでは、第１主板と第２主板との間に第１主板及び第２主板に連結するヒンジ部材が設けられ、第１主板と第２主板とがヒンジ部材を介して相対的に回動する。第１主板と第２主板とをヒンジ部材を介して相対的に回動させ、第１主板と第２主板との成す角度を所定角度にすることにより、写真立てが立設される。
【先行技術文献】
【特許文献】
【０００３】
【特許文献１】登録実用新案第３０１１４５２号公報
【考案の概要】
【考案が解決しようとする課題】
【０００４】
しかし、特許文献１に記載のような従来の写真立てでは、第１主板及び第２主板の厚さ方向と直交する１つの軸を中心としてしか相対的に回動できず、写真立てを開ける方向が限定されていた。このため、写真立てを用途に応じて異なる方向に開いて多様な態様で使用できないとう問題がある。
【０００５】
本考案の目的は、用途に応じて多様な態様で使用できる写真立てを提供することである。
【課題を解決するための手段】
【０００６】
本考案の写真立ては、所定の厚さを有する第１主板と、所定の厚さを有し、前記第１主板に対して相対的に回動可能な第２主板と、前記第１主板及び前記第２主板に連結される中間部材とを備える写真立てであって、前記第１主板は、第１内側表面部と、前記厚さ方向において前記第１内側表面部とは反対側に設けられた第１外側表面部と、前記厚さ方向と直交する方向に延出して前記第１内側表面部及び前記第１外側表面部と直交する第１側面部と、前記厚さ方向及び前記第１側面部の延出方向と直交する方向に延出して前記第１内側表面部及び前記第１外側表面部と直交しかつ前記第１側面部と直交する第２側面部とを備え、前記第２主板は、第２内側表面部と、前記厚さ方向において前記第２内側表面部とは反対側に設けられた第２外側表面部と、前記厚さ方向と直交する方向に延出して前記第２内側表面部及び前記第２外側表面部と直交し、前記第１主板の第１側面部に対向可能な第１側面部と、前記厚さ方向及び前記第１主板の第１側面部に対向可能な第１側面部の延出方向と直交する方向に延出して前記第２内側表面部及び前記第２外側表面部と直交しかつ前記第１主板の第１側面部に対向可能な第１側面部と直交するとともに、前記第１主板の第２側面部に対向可能な第２側面部とを備え、前記第１主板又は前記第２主板の第１側面部が延出する方向に延びる軸を第１の軸とし、前記第１主板又は前記第２主板の第２側面部が延出する方向に延びる軸を第２の軸として、前記中間部材は、前記第１内側表面部と前記第２内側表面部との間に介在し、前記第１の軸が延びる方向に沿って設けられた前記第１主板及び前記第２主板の一方の主板の端面部と、前記第２の軸が延びる方向に沿って設けられた前記第１主板及び前記第２主板の他方の主板の端面部とに連結されることを特徴とする。
【０００７】
このような本考案では、中間部材は、第１の軸が延びる方向に沿って設けられた第１主板及び第２主板の一方の主板の端面部と、第２の軸が延びる方向に沿って設けられた第１主板及び第２主板の他方の主板の端面部とに連結される。このため、第１主板と第２主板とを第１の軸及び第２の軸を中心として相対的に回動できる。よって、第１主板と第２主板とを第１の軸及び第２の軸を中心として開くことができ、写真立てを用途に応じて多様な態様で使用できる。
【０００８】
本考案において、前記中間部材は、前記第１内側表面部又は前記第２内側表面部と重なる主面部と、前記主面部から延設されて、前記内側表面部と前記第１側面部とが交わる第１の内側辺に沿って設けられる第１延設部と、前記主面部から延設されて、前記内側表面部と前記第２側面部とが交わる第２の内側辺に沿って設けられる第２延設部とを備え、前記第１延設部は前記一方の主板の外側表面部に連結され、第２延設部は前記他方の主板の外側表面部に連結されることが望ましい。
【０００９】
このような考案では、第１延設部は一方の主板の外側表面部に連結され、第２延設部は他方の主板の外側表面部に連結される。このため、第１主板と第２主板とを第１の軸及び第２の軸を中心として、第１内側表面部と第２内側表面部とのなす角度が１８０度より大きな角度となるように相対的に回動できる。このため、第１内側表面部及び第２内側表面部を外側に露出させた状態で写真立てを立設するなど、より多様な態様で使用できる。
【００１０】
本考案において、前記第１延設部は、前記第１側面部と対向可能な第１対向部と、前記第１対向部と連設された第１連結部とを備え、前記第２延設部は、前記第２側面部と対向可能な第２対向部と、前記第２対向部と連設された第２連結部とを備え、前記第１連結部が前記一方の主板の外側表面部に連結され、第２連結部が前記他方の主板の外側表面部に連結されることが望ましい。
【００１１】
このような考案では、第１延設部の第１連結部が一方の主板の外側表面部に連結され、第２延設部の第２連結部が他方の主板の外側表面部に連結される。このため、中間部材を簡易な構造で第１主板及び第２主板に連結できる。
【００１２】
本考案において、前記中間部材は、複数設けられ、少なくとも第１中間部材と第２中間部材とを備え、前記第１中間部材の第１延設部が前記第２主板の外側表面部に連結され、前記第１中間部材の第２延設部が前記第１主板の外側表面部に連結され、前記第２中間部材の第１延設部が前記第１主板の外側表面部に連結され、前記第２中間部材の第２延設部が前記第２主板の外側表面部に連結されることが望ましい。
【００１３】
このような考案では、第１中間部材の第１延設部が第２主板の外側表面部に連結され、第１中間部材の第２延設部が第１主板の外側表面部に連結され、第２中間部材の第１延設部が第１主板の外側表面部に連結され、第２中間部材の第２延設部が第２主板の外側表面部に連結される。このため、第１主板は、第１中間部材の第２延設部と第２中間部材の第１延設部とによって、互いに直交する第１側面部及び第２側面部側から支持される。第２主板は、第１中間部材の第１延設部と第２中間部材の第２延設部とによって、互いに直交する第１側面部及び第２側面部側から支持される。よって、第１主板と第２主板とを第１の軸及び第２の軸を中心として相対的に回動させたときに第１主板及び第２主板ががたつくことを防止できる。また、飾り物などを第１内側表面部上及び第２内側表面部上の双方に収納できる。
【００１４】
本考案において、前記第１外側表面部及び前記第２外側表面部のうち少なくとも一方の外側表面部には、飾り物が差し込まれる差込部が形成され、前記外側表面部上であって前記差込部から所定距離離れた位置には、飾り物を位置決め支持する位置決め支持部材が設けられていることが望ましい。
【００１５】
このような考案では、外側表面部には飾り物が差し込まれる差込部が形成され、外側表面部上であって差込部から所定距離離れた位置には、飾り物を位置決め支持する位置決め支持部材が設けられている。このため、外側表面部上にも飾り物を収納でき、写真立ての外側部分も有効に使用できる。また、差込部及びテグスにより、飾り物を外側表面部上に容易にかつ確実に固定できる。
【００１６】
本考案において、前記中間部材は和紙で形成されていることが望ましい。
このような考案では、中間部材は和紙で形成されているため、第１主板と第２主板とを第１の軸又は第２の軸を中心として相対的に回動させた場合でも、折り曲げ力に耐えることができ、中間部材が破れることを防止できる。よって、中間部材によって第１内側表面部上及び第２内側表面部上で飾り物を固定できる。
【図面の簡単な説明】
【００１７】
【図１】本考案の一実施形態に係る写真立てを示す内側からみた斜視図。
【図２】前記写真立てを示す外側からみた斜視図。
【図３】前記写真立てを組み立てる前の分解図。
【図４】前記写真立てを回動させて別の姿勢とした状態を示す内側からみた図。
【図５】前記写真立てを図４に示す状態から上下方向を逆にしたときの斜視図。
【図６】図５に示す状態の写真立てを外側からみた斜視図。
【図７】図１に示す状態の写真立てを折り返す状態を示す部分拡大図。
【図８】図１に示す状態の写真立てを折り返したときの状態を示す斜視図。
【図９】図５に示す状態の写真立てを折り返したときの状態を示す斜視図。
【考案を実施するための形態】
【００１８】
以下、本実施形態の写真立て１を図面に基づいて説明する。
図１ないし図３に示す写真立て１は、所定の厚さＴ１を有する直方体形状の板材から形成された第１主板２と、所定の厚さＴ２を有する直方体形状の板材から形成され、後述する回動軸Ｘ１，Ｘ２を中心として第１主板２に対して相対的に回動可能な第２主板３と、第１主板２及び第２主板３に連結されて後述する第１内側表面部２１と第２内側表面部３１との間に介在する中間部材４とを備える。
【００１９】
第１主板２は、矩形状の第１内側表面部２１と、第１主板２の厚さ方向（図３中紙面垂直方向）において第１内側表面部２１とは反対側に設けられた矩形状の第１外側表面部２２と、第１主板２の厚さ方向と直交する方向（図３中上下方向）に延出して第１内側表面部２１及び第１外側表面部２２と直交する第１側面部２３と、第１主板２の厚さ方向及び第１側面部２３の延出方向と直交する方向（図３中左右方向）に延出して第１内側表面部２１及び第１外側表面部２２と直交しかつ第１側面部２３と直交する第２側面部２４とを備える。
【００２０】
第１内側表面部２１は、図３中上下方向に延びる第１の内側辺２１１と、第１の内側辺２１１と直交する方向（図３中左右方向）に延びる第２の内側辺２１２とを備える。第１の内側辺２１１は第１内側表面部２１と第１側面部２３とが交わる辺であり、第２の内側辺２１２は第１内側表面部２１と第２側面部２４とが交わる辺である。
第１外側表面部２２は、第１の内側辺２１１と対向して図３中上下方向に延びる第１の外側辺２２１と、第１の外側辺２２１と直交する方向（図３中左右方向）に延びて第２の内側辺２１２と対向する第２の外側辺２２２とを備える。
【００２１】
第１主板２と第２主板３とが組み合わされて、第１側面部２３と後述する第２主板３の第１側面部３３とが延出する方向に延びる軸が、後述する第１の軸としての回動軸Ｘ１である。また、第１主板２と第２主板３とが組み合わされて、第２側面部２４と後述する第２主板３の第２側面部３４とが延出する方向に延びる軸が、回動軸Ｘ１と直交する後述する第２の軸としての回動軸Ｘ２である。
この場合に、第１外側表面部２２は、回動軸Ｘ１が延びる方向及び回動軸Ｘ２が延びる方向に沿って設けられた端面部となる。
【００２２】
図２に示すように、第１外側表面部２２の表面には、模様が施された和紙などの表紙５１が貼られており、表紙５１の一部分が折り返されて、第２の外側辺２２２と平行に延びる折り返し部５１１が形成されている。折り返し部５１１は、指などで第１外側表面部２２の表面から離れる方向にわずかに動かすことができる。これによって、第１外側表面部２２の表面と折り返し部５１１との間に差込部５１２が形成されている。
また、第１外側表面部２２上であって差込部５１２から所定距離離れた位置には、図示しない一対の穴が形成され、この一対の穴に位置決め支持部材としてのテグス６０Ａの両端が挿通固定されている。これによって、テグス６０Ａが第２の外側辺２２２と平行な方向に張られている。
そして、飾り物としての例えばＣという文字が描かれたはがきや写真が差込部５１２内に差し込まれ、このはがきや写真の上部が第１外側表面部２２の表面上でテグス６０Ａによって位置決め支持される。
【００２３】
第２主板３は、矩形状の第２内側表面部３１と、第２主板３の厚さ方向（図３中紙面垂直方向）において第２内側表面部３１とは反対側に設けられた矩形状の第２外側表面部３２と、第２主板３の厚さ方向と直交する方向（図３中上下方向）に延出して第２内側表面部３１及び第２外側表面部３２と直交し、第１主板２の第１側面部２３とに対向可能な第１側面部３３と、第２主板３の厚さ方向及び第１側面部３３の延出方向と直交する方向（図３中左右方向）に延出して第２内側表面部３１及び第２外側表面部３２と直交しかつ第１側面部３３と直交するとともに、第１主板２の第２側面部２４に対向可能な第２側面部２４とを備える。
【００２４】
第２内側表面部３１は、図３中上下方向に延びる第１の内側辺３１１と、第１の内側辺３１１と直交する方向（図３中左右方向）に延びる第２の内側辺３１２とを備える。第１の内側辺３１１は第２内側表面部３１と第１側面部３３とが交わる辺であり、第２の内側辺３１２は第２内側表面部３１と第２側面部３４とが交わる辺である。
第２外側表面部３２は、第１の内側辺３１１と対向して図３中上下方向に延びる第１の外側辺３２１と、第１の外側辺３２１と直交する方向（図３中左右方向）に延びて第２の内側辺３１２と対向する第２の外側辺３２２とを備える。
第２外側表面部３２は、回動軸Ｘ１が延びる方向及び回動軸Ｘ２が延びる方向に沿って設けられた端面部となる。
【００２５】
図２に示すように、第２外側表面部３２の表面には、第１外側表面部２２の表面と同様に、模様が施された和紙などの表紙５２が貼られており、第２の外側辺３２２と平行に延びる折り返し部５２１と差込部５２２とが形成されている。
また、第２外側表面部３２上であって差込部５２２から所定距離離れた位置には、テグス６０Ｂが第２の外側辺３２２と平行な方向に張られている。
そして、例えばＤという文字が描かれたはがきや写真が差込部５２２内に差し込まれ、このはがきや写真の上部が第２外側表面部３２の表面上でテグス６０Ｂによって位置決め支持される。
【００２６】
中間部材４は、和紙で形成されて帯状である、第１中間部材４１と第２中間部材４２と第３中間部材４３とを備える。
第１中間部材４１は、図３において第１内側表面部２１と重なって折線Ｌ１及び折線Ｌ２を有する平面視四角形状の主面部４１１と、主面部４１１から延設されて第１の内側辺２１１に沿って設けられて折線Ｌ１を有する平面視台形状の第１延設部４１２と、主面部４１１から延設されて第２の内側辺２１２に沿って設けられて折線Ｌ２を有する平面視台形状の第２延設部４１３とを備える。なお、折線Ｌ１，Ｌ２は、実際に描かれた線ではなく、折り曲げられる箇所を示す仮想線である。以下の説明で出てくる他の折線についても同じである。
【００２７】
第１延設部４１２は、折線Ｌ１を用いて折り曲げ可能であり、折線Ｌ３を介して連設された第１対向部４１４と第１連結部４１５とを備える。
第２延設部４１３は、折線Ｌ２を用いて折り曲げ可能であり、折線Ｌ４を介して連設された第２対向部４１６と第２連結部４１７とを備える。
第１対向部４１４の高さｈ１と第２対向部４１６の高さｈ２とは、第１主板２の厚さＴ１と等しい。
【００２８】
第２中間部材４２は、図３において第２内側表面部３１と重なって折線Ｌ５及び折線Ｌ６を有する平面視四角形状の主面部４２１と、主面部４２１から延設されて第１の内側辺３１１に沿って設けられて折線Ｌ５を有する平面視四角形状の第１延設部４２２と、主面部４１１から延設されて第２の内側辺３１２に沿って設けられて折線Ｌ６を有する平面視四角形状の第２延設部４２３とを備える。
【００２９】
第１延設部４２２は、折線Ｌ５を用いて折り曲げ可能であり、折線Ｌ７を介して連設された第１対向部４２４と第１連結部４２５とを備える。
第２延設部４２３は、折線Ｌ６を用いて折り曲げ可能であり、折線Ｌ８を介して連設された第２対向部４２６と第２連結部４２７とを備える。
第１対向部４２４の高さｈ３と第２対向部４２６の高さｈ４とは、第２主板３の厚さＴ２と等しい。
【００３０】
第３中間部材４３は、図３において第１内側表面部２１と重なって折線Ｌ９及び折線Ｌ１０を有する平面視三角形状の主面部４３１と、主面部４３１から延設されて第１の内側辺２１１に沿って設けられて折線Ｌ９を有する平面視台形状の第１延設部４３２と、主面部４３１から延設されて第２の内側辺２１２に沿って設けられて折線Ｌ１０を有する平面視台形状の第２延設部４３３とを備える。
【００３１】
第１延設部４３２は、折線Ｌ９を用いて折り曲げ可能であり、折線Ｌ１１を介して連設された第１対向部４３４と第１連結部４３５とを備える。
第２延設部４３３は、折線Ｌ１０を用いて折り曲げ可能であり、折線Ｌ１２を介して連設された第２対向部４３６と第２連結部４３７とを備える。
第１対向部４３４の高さｈ５と第２対向部４３６の高さｈ６とは、第１主板２の厚さＴ１と等しい。
【００３２】
次に、写真立て１の組み立て方について説明する。
まず、第１中間部材４１を第１内側表面部２１上に載置し、第１中間部材４１において折線Ｌ２を用いて折り曲げ、第１主板２の第２側面部２４に第２対向部４１６を対向させる。このとき、折線Ｌ４は第２の外側辺２２２と対向する。次に、折線Ｌ４を用いて折り曲げ、第２連結部４１７を第１外側表面部２２に当接させてのりなどで貼着する。
【００３３】
同様に、第２中間部材４２を第２内側表面部３１上に載置し、第２中間部材４２において折線Ｌ６を用いて折り曲げ、第２主板３の第２側面部３４に第２対向部４２６を対向させる。次に、折線Ｌ８を用いて折り曲げ、第２連結部４２７を第２外側表面部３２に当接させてのりなどで貼着する。
同様に、第３中間部材４３を第１内側表面部２１上に載置し、第３中間部材４３において折線Ｌ１０を用いて折り曲げ、第２側面部２４に第２対向部４３６を対向させる。次に、折線Ｌ１２を用いて折り曲げ、第２連結部４３７を第１外側表面部２２に当接させてのりなどで貼着する。
【００３４】
続いて、このようにされた第１内側表面部２１と第２内側表面部３１とを対向させて、第１中間部材４１において折線Ｌ１を用いて折り曲げ、第２主板３の第１側面部３３に第１対向部４１４を対向させる。このとき、折線Ｌ３は第２主板３の第１の外側辺３２１と対向する。そして、第１連結部４１５を第２外側表面部３２に当接させてのりなどで貼着する。
同様に、第２中間部材４２において折線Ｌ５を用いて折り曲げ、第１主板２の第１側面部２３に第１対向部４２４を対向させる。そして、第１連結部４２５を第１外側表面部２２に当接させてのりなどで貼着する。
同様に、第３中間部材４３において折線Ｌ９を用いて折り曲げ、第２主板３の第１側面部３３に第１対向部４３４を対向させる。そして、第１連結部４３５を第２外側表面部３２に当接させてのりなどで貼着する。
なお、第１中間部材４１ないし第３中間部材４３についてどの順番で作業を行うかは適宜変更可能である。
【００３５】
このように組み立てられた写真立て１では、例えばＡという文字が撮影された写真が、第１内側表面部２１と第１中間部材４１との間に挿入されて収納される。また、例えばＢという文字が撮影された写真が、第２内側表面部３１と第２中間部材４２との間に挿入されて収納される。
【００３６】
次に、このように組み立てられた写真立て１の回動動作について説明する。
まず、写真立て１では、第２外側表面部３２に貼着された第１連結部４１５，４３５、及び第１外側表面部２２に貼着された第１連結部４２５を図１中上下方向に延びる回動軸Ｘ１として、回動軸Ｘ１を中心に図１の矢印方向に、第１主板２と第２主板３とを相対的に回動可能である。
【００３７】
一方、写真立て１を一旦閉じて、第１内側表面部２１と第２内側表面部３１との成す角度を０度にして、第１内側表面部２１と第２内側表面部３１とを対向させる。そうすると、第１外側表面部２２に貼着された第２連結部４１７，４３７、及び第２外側表面部３２に貼着された第２連結部４２７を回動軸Ｘ１と直交する回動軸Ｘ２として、回動軸Ｘ２を中心に第１主板２と第２主板３とを相対的に回動可能となる。回動軸Ｘ２を中心に第１主板２と第２主板３とを相対的に回動させると、写真立て１は図４に示す状態となる。
【００３８】
写真立て１を図４に示す状態から上下方向を逆にすると、図５に示す状態となる。図５に示す状態では、Ａという文字が撮影された写真とＢという文字が撮影された写真とが図１に示す姿勢から９０度回転させた姿勢で収納されるようになる。なお、図５に示す状態における外側表面部２２，３２は図６に示す状態となる。
【００３９】
次に、第１内側表面部２１と第２内側表面部３１との成す角度を１８０度より大きい角度にする回動動作について説明する。
第１内側表面部２１と第２内側表面部３１との成す角度が１８０度となってからさらに回動させると、第１連結部４１５，４３５が第２外側表面部３２に貼着され、第１連結部４２５が第１外側表面部２２に貼着されており、一方で、第１対向部４１４，４３４は第２主板３の第１側面部３３とは接着されておらず、かつ第１対向部４２４も第１主板２の第１側面部２３とは接着されていないため、図７に示すように、第１対向部４１４，４３４は第２主板３の第１側面部３３から離れ、第１対向部４２４は第１主板２の第１側面部２３から離れる。これによって、第１主板２と第２主板３とを回動軸Ｘ１を中心として、第１内側表面部２１と第２内側表面部３１とのなす角度が１８０度より大きな角度となるように相対的に回動可能となる。
【００４０】
このような回動動作によって、写真立て１は、図８に示すように、第１内側表面部２１と第２内側表面部３１とのなす角度を１８０度より大きな角度とした状態で立設可能となる。図８に示す状態では、例えばＢという文字が撮影された写真が図１に示す姿勢から図８に示す姿勢となる。
【００４１】
また、図７に示した上述と同様の原理によって、第１主板２と第２主板３とを回動軸Ｘ２を中心として、第１内側表面部２１と第２内側表面部３１とのなす角度が１８０度より大きな角度となるように相対的に回動可能であり、このような回動動作によって、写真立て１は図５に示す状態から図９に示す状態になる。図９に示す状態では、例えばＡという文字が撮影された写真が図５に示す姿勢から図９に示す姿勢となる。なお、図４に示す状態から、第１内側表面部２１と第２内側表面部３１とを同様に相対的に回動させても図９に示す状態になる。
【００４２】
以上のような本実施形態では、以下の効果がある。
（１）本実施形態の写真立て１では、第１中間部材４１、第２中間部材４２及び第３中間部材４３が、それぞれ、回動軸Ｘ１が延びる方向及び回動軸Ｘ２が延びる方向に沿って設けられた第１外側表面部２２と第２外側表面部３２とに連結される。このため、第１主板２と第２主板３とを回動軸Ｘ１及び回動軸Ｘ２を中心として相対的に回動できる。このため、第１主板２と第２主板３とを回動軸Ｘ１及び回動軸Ｘ２を中心として開くことができ、写真立て１を多様な態様で使用できる。
【００４３】
（２）第１中間部材４１が第１延設部４１２及び第２延設部４１３を備え、第２中間部材４２が第１延設部４２２及び第２延設部４２３を備え、第３中間部材４３が第１延設部４３２及び第２延設部４３３を備えている。そして、第１中間部材４１では、第１延設部４１２の第１連結部４１５が第２外側表面部３２に貼着され、第２延設部４１３の第２連結部４１７が第１外側表面部２２に貼着される。また、第２中間部材４２では、第１延設部４２２の第１連結部４２５が第１外側表面部２２に貼着され、第２延設部４２３の第２連結部４２７が第２外側表面部３２に貼着される。また、第３中間部材４３では、第１延設部４３２の第１連結部４３５が第２外側表面部３２に貼着され、第２延設部４３３の第２連結部４３７が第１外側表面部２２に貼着される。このような構成により、第１主板２と第２主板３とを回動軸Ｘ１又は回動軸Ｘ２を中心として、第１内側表面部２１と第２内側表面部３１とのなす角度が１８０度より大きな角度となるように相対的に回動できる。このため、第１内側表面部２１及び第２内側表面部３１を外側に露出させた状態で写真立て１を立設するなど、より多様な態様で使用できる。
【００４４】
（３）第１中間部材４１では、第１延設部４１２は第１対向部４１４と第１連結部４１５とを備え、第２延設部４１３は第２対向部４１６と第２連結部４１７とを備える。第２中間部材４２では、第１延設部４２２は第１対向部４２４と第１連結部４２５とを備え、第２延設部４２３は第２対向部４２６と第２連結部４２７とを備える。第３中間部材４３では、第１延設部４３２は第１対向部４３４と第１連結部４３５とを備え、第２延設部４３３は第２対向部４３６と第２連結部４３７とを備える。そして、第１中間部材４１、第２中間部材４２及び第３中間部材４３が、連結部４１５，４１７，４２５，４２７，４３５，４３７を介して第１主板２及び第２主板３に連結される。このため、第１中間部材４１、第２中間部材４２及び第３中間部材４３を簡易な構造で第１主板２及び第２主板３に連結できる。
【００４５】
（４）また、（２）の構成により、第１主板２は、第１中間部材４１の第２延設部４１３と第２中間部材４２の第１延設部４２２と第３中間部材４３の第２延設部４３３とによって、互いに直交する第１側面部２３及び第２側面部２４側から支持される。第２主板３は、第１中間部材４１の第１延設部４１２と第２中間部材４２の第２延設部４２３と第３中間部材４３の第１延設部４３２とによって、互いに直交する第１側面部３３及び第２側面部３４側から支持される。このため、第１主板２と第２主板３とを回動軸Ｘ１又は回動軸Ｘ２を中心として相対的に回動させたときに第１主板２及び第２主板３ががたつくことを防止できる。また、（２）の構成により、写真などを第１内側表面部２１上及び第２内側表面部３１上の双方に収納できる。
【００４６】
（５）第１外側表面部２２には差込部５１２が形成されるとともに、第１外側表面部２２上であって差込部５１２から所定距離離れた位置にはテグス６０Ａが張られている。同様に、第２外側表面部３２には差込部５２２が形成されるとともに、第２外側表面部３２上であって差込部５２２から所定距離離れた位置にはテグス６０Ｂが張られている。このため、外側表面部２２，３２上にもはがきなどを収納でき、写真立て１の外側部分も有効に使用できる。また、差込部５１２，５２２及びテグス６０Ａ，６０Ｂにより、はがきなどを外側表面部２２，３２上に容易にかつ確実に固定できる。
【００４７】
（６）第１中間部材４１、第２中間部材４２及び第３中間部材４３は和紙で形成されているため、第１主板２と第２主板３とを回動軸Ｘ１又は回動軸Ｘ２を中心として相対的に回動させた場合でも、折り曲げ力に耐えることができ、第１中間部材４１、第２中間部材４２及び第３中間部材４３が破れることを防止できる。このため、第１中間部材４１及び第３中間部材４３によって第１内側表面部２１上で写真などを固定でき、また、第２中間部材４２によって第２内側表面部３１上で写真などを固定できる。
【００４８】
なお、本発明は前述の実施形態に限定されるものではなく、本発明の目的を達成できる範囲での変形、改良等は本発明に含まれるものである。
前記実施形態では、第１中間部材４１、第２中間部材４２及び第３中間部材４３が、それぞれ、第１外側表面部２２と第２外側表面部３２とに連結されていたが、第１内側表面部２１と第２内側表面部３１との成す角度を１８０度以下の角度の範囲で、第１主板２と第２主板３とを相対的に回動させる場合には、第１中間部材４１、第２中間部材４２及び第３中間部材４３をそれぞれ、第１内側表面部２１と第２内側表面部３１とに連結してもよい。この場合には、第１内側表面部２１及び第２内側表面部３１が、回動軸Ｘ１が延びる方向及び回動軸Ｘ２が延びる方向に沿って設けられた端面部となる。
【００４９】
前記実施形態では、中間部材４は第１中間部材４１、第２中間部材４２及び第３中間部材４３の３つの部材から構成されていたが、これには限定されず、例えば、第１中間部材４１、第２中間部材４２及び第３中間部材４３が１つに組み合わされた単一の部材であってもよい。
また、中間部材４が複数の部材から構成される場合には、前記実施形態のように３つの部材ではなく、第１中間部材４１と第２中間部材４２とから構成されるものや、第３中間部材４３と第２中間部材４２とから構成されるものであってもよい。あるいは、４つ以上の部材から構成されていてもよい。すなわち、中間部材４が少なくとも２つの部材から構成され、第１主板２が、互いに直交する第１側面部２３及び第２側面部２４側から中間部材によって支持され、かつ第２主板３が、互いに直交する第１側面部３３及び第２側面部３４側から中間部材によって支持されればよい。
【００５０】
前記実施形態では、差込部及びテグスは、第１外側表面部２２及び第２外側表面部３２の双方に張られていたが、これには限定されず、写真立て１の用途に応じて、第１外側表面部２２及び第２外側表面部３２のうち少なくとも一方の外側表面部に張られていればよい。
また、前記実施形態では、テグス６０Ａは第１外側表面部２２に張られ、テグス６０Ｂは第２外側表面部３２に張られていたが、これには限定されず、テグスが第１内側表面部２１や第２内側表面部３１に張られていてもよい。この場合、テグスは、第１内側表面部２１と第１中間部材４１との間や、第２内側表面部３１と第２中間部材４２との間に張られる。
【００５１】
前記実施形態では、位置決め支持部材としてテグス６０Ａ，６０Ｂを用いたが、これには限定されず、はがきなどを外側表面部２２，３２上に固定できれば、ゴム製の細いバンドなどであってもよい。
【００５２】
前記実施形態では、中間部材４は和紙で形成されていたが、これには限定されず、ビニールなどの可撓性のある樹脂材料や、金属、木材、又は不織布などから形成されていてもよい。中間部材４が金属で形成される場合には、第１主板２及び第２主板３との連結部分を複数列のボルトを介して第１主板２及び第２主板３と連結する。あるいは、中間部材４における第１主板２及び第２主板３との連結部分だけを例えば金属から形成してもよいし、連結部分だけを例えば和紙で形成して連結部分以外の部分を透明なプラスチックで形成してもよい。すなわち、連結部分の材料と連結部分以外の部分の材料とを別材料で形成してもよい。
【００５３】
また、前記実施形態では、第１中間部材４１の主面部４１１のうち折線Ｌ１，Ｌ２以外の端面、第２中間部材４２の主面部４２１のうち折線Ｌ５，Ｌ６以外の端面、及び第３中間部材４３の主面部４３１のうち折線Ｌ９，Ｌ１０以外の端面が薄平面であったが、これらの端面を波形状にしてもよい。
【産業上の利用可能性】
【００５４】
本考案は、写真立てとして利用できる。
【符号の説明】
【００５５】
１…写真立て、２…第１主板、３…第２主板、４…中間部材、２１…第１内側表面部、２２…端面部である第１外側表面部、２３，３３…第１側面部、２４，３４…第２側面部、３１…第２内側表面部、３２…端面部である第２外側表面部、４１…第１中間部材、４２…第２中間部材、６０Ａ，６０Ｂ…位置決め支持部材であるテグス、２１１，３１１…第１の内側辺、２１２，３１２…第２の内側辺、４１１，４２１，４３１…主面部、４１２，４２２，４３２…第１延設部、４１３，４２３，４３３…第１延設部、４１４，４２４，４３４…第１対向部、４１５，４２５，４３５…第１連結部、４１６，４２６，４３６…第２対向部、４１７，４２７，４３７…第２連結部、５１２，５２２…差込部。
【図１】
0003181240.tif 000003
【図２】
0003181240.tif 000004
【図４】
0003181240.tif 000005
【図５】
0003181240.tif 000006
【図６】
0003181240.tif 000007
【図８】
0003181240.tif 000008
【図９】
0003181240.tif 000009
【図３】
0003181240.tif 000010
【図７】
0003181240.tif 000011